(57)【要約】
【課題】育苗箱をトラックなどの荷台から田植え機にまで搬送する育苗箱の搬送具をトラックの荷台へ取り付けるための取付具を提供する。
【解決手段】基台１１の上部にアオリ２に引っ掛けられるようにフック部１２を設け、その裏面に育苗箱搬送具４を取り付ける固定部１４を設けていることにより、育苗箱搬送具４を取り付けることが出来る。
【選択図】図１
0003099396.tif 000002
【実用新案登録請求の範囲】
【請求項１】
　基台の上部にトラックの荷台のアオリに引っ掛けるフック部を設け、その裏面に育苗箱搬送具を取り付ける固定部を設けることにより、前記トラックの荷台のアオリに該育苗箱搬送具を取り付けられることを特徴とする育苗箱搬送具の取付け具。
【請求項２】
　前記基台の下部にトラックの荷台のアオリの高さに合わせ取付け位置の調整できるクッションゴムを設けた事を特徴とする請求項１記載の育苗箱搬送具の取付け具。
【請求項３】
　前記基台の上部に育苗箱搬送具の先端をを持ち上げた時に、固定するクランプ部を有し、前記育苗箱搬送具を立てて収納できることを特徴とする請求項１又は２記載の育苗箱搬送具の取付け具。
【請求項４】
　前記基台の上部にアオリを補強する補強材を着脱自在に設けた事を特徴とする、請求項１乃至３の何れか１項記載の育苗箱搬送具の取付け具。
【考案の詳細な説明】
【考案の詳細な説明】
【技術分野】
【０００１】本考案は、育苗箱をトラックなどの荷台から田植え機にまで搬送する育苗箱の搬送具をトラックの荷台へ取り付ける育苗箱搬送具の取付具に関する。
【背景技術】
【０００２】　従来、育苗箱を田植え機に積み込むには、農道上のトラックの荷台に載せられた苗運搬用載置棚から育苗箱を一枚ずつ人が、田植え機まで運んでいた。農道と水田の間には、水路と畦があり育苗箱を一枚ずつ水路をまたいで田植え機まで運ぶ作業であった。そこで人が、農道上にいたまま育苗箱を田植え機まで届ける事が出来るものとして、例えば登録実用新案公報第３０９０２５７号がある。【０００３】　これは、苗運搬用載置棚に搬送具を取付け、搬送具上を育苗箱を滑動させることができるものである。
【考案が解決しようとする課題】
【０００４】例えば、登録実用新案公報第３０９０２５７号では、育苗箱の搬送具を育苗箱載置棚に取り付けているが、近年、育苗箱の運搬具として棚がなくトラックの荷台上に斜めに立てて並べるものが普及してきた。棚状でない運搬具を使用した場合には、トラックの荷台に搬送具を取り付ける場所が無く折角の搬送具も使用することが出来なかった。
【０００５】　本考案の目的は、前述したような問題点を解決するため、育苗箱載置棚のある無しに関わらずトラックに搬送具を簡単に取りつけられるような取付け具を提供することにある。
【課題を解決するための手段】
【０００６】本考案の請求項１記載の育苗箱搬送具の取付具は、基台の上部にトラックの荷台のアオリに引っ掛けるフック部を設け、その裏面に育苗箱搬送具を取り付ける固定部を設けることにより、前記トラックの荷台のアオリに該育苗箱搬送具を取り付けられるものである。このような構成を採用する事により、育苗箱の運搬具として棚状でないものを使用した場合にも、トラックの荷台に育苗箱搬送具を取り付けることが出来る。
【０００７】　また、請求項２記載の育苗箱搬送具の取付具は、前記基台の下部にトラックの荷台のアオリの高さに合わせ取付け位置の調整できるクッションゴムが設けられているものである。このため、アオリを傷める事も無く、種々のアオリの高さにも対応でき、搬送具を安定して保持する事が出来る。
【０００８】　請求項３記載の育苗箱搬送具の取付具は、前記請求項１又は２において、前記基台の上部に育苗箱搬送具の先端をを持ち上げた時に、固定するクランプ部を有し、前記育苗箱搬送具を立てて収納できる。。このため、トラックの移動時に電柱等の障害物がある時でも搬送具を取り外す必要も無く、移動時の作業性が向上する。
【０００９】　請求項４記載の育苗箱搬送具の取付具は、前記請求項１乃至３の何れか１項において、前記基台の上部にアオリを補強する補強財を着脱自在に設けている。このため、アオリの剛性が弱いトラックにも育苗箱搬送具を取り付けることができる。
【考案を実施するための最良の形態】
【００１０】　以下、本考案の育苗箱搬送具の取付け具の一実施例について添付図面を参照して詳細に説明する。図１、図２は、本考案の一実施例による育苗箱搬送具の取付具を示しており、図１、図２において、１は運搬車両であるトラッの荷台であり、この荷台１上には、アオリ２があり、このアオリ２に本実施例の育苗箱搬送具の取付具３が取り付けられている。取付具３には、育苗箱搬送具４が取り付いている。また、トラックの荷台１上には、育苗箱５を載置する載置棚６を搭載している。７は育苗箱５を届ける田植え機である。【００１１】　この取付け具３は、基台１１の上部にアオリ２に引っ掛けられるようにフック部１２を設け、その裏面に育苗箱搬送具４を取り付ける固定部１４を設けている。１４Ａは固定フックであり、その取付け間隔は、育苗箱搬送具４を取り付けるに足る長さ、具体的には育苗箱搬送具４の幅方向の長さに対応した長さとなっている。育苗箱搬送具４を取り付けるには、搬送部４Ａの基端部を固定フック１４Ａに引っ掛け支持部材４Ｂを基台１１の最下部に掛ける。また、基台１１の下部にトラックの荷台を傷めないようにアオリ２の高さに合わせ取付け位置が変えられるクッションゴム１５の取り付く下部材１３を配している。また、基台１１の上部に育苗箱搬送具４の先端をを持ち上げた時に、固定するクランプ部１６を設けている。育苗箱搬送具４の下面にクランプブラケット４Ｃを設け、クランプ部１６にクランプピン２０で固定する。また、アオリ２の剛性を補うために取付け具３をトラック両側面のアオリ２，２Ａとつなぐ補強材１７が着脱自在になっている。ハンガー１９を取付け具３の付いていない反対側のアオリ２Ａに引っ掛け、取付け具３側の締め込みナット１８で取り付ける。【００１２】　前記構成につきその作用について説明する。まず、トラックなどの運搬車両の荷台のアオリ２に取付け具３を引っ掛けることにより固定し、育苗箱搬送具４を固定フック１４Ａに引っ掛け、支持部材４Ｂを基台１１の下端に固定することにより育苗箱搬送具４を取り付けることが出来る。【００１３】　次に、図１に示すように、育苗箱搬送具４を固定フック１４Ａに引っ掛け、支持部材４Ｂを基台１１の下端に固定することにより簡単に取り付けられ、また、簡単に取り外す事も出来る。【００１４】　続いて、クッションゴム１５は長穴で取り付けられているので、高さの異なるアオリに対してもを上下方向に調節する事が出来る。【００１５】　また、育苗箱搬送具４の先端をを持ち上げた時に、クランプ部１６にクランプピン２０で固定できる。【００１６】　なお、ハンガー１９を取付け具３の付いていない反対側のアオリ２Ａに引っ掛け、取付け具３側の締め込みナット１８で取り付けるとアオリ２の剛性を補うことができる。【００１７】　以上詳述したとおり、本実施例の育苗箱搬送具の取付け具３は、基台１１の上部にトラックの荷台１のアオリ２に引っ掛けるフック部１２を設け、その裏面に育苗箱搬送具４を取り付ける固定部１４を設けることにより、トラックの荷台１のアオリ２に育苗箱搬送具４を取り付けられるのである。【００１８】　さらに、基台の１１下部にトラックの荷台１のアオリ２の高さに合わせ取付け位置の調整できるクッションゴム１５を設けているので、育苗箱搬送具４を安定した状態で保持する事が出来る。【００１９】　また、基台１１の上部に育苗箱搬送具４の先端をを持ち上げた時に、固定するクランプ部１６を有し、育苗箱搬送具４を立てて収納することにより、トラックの移動時に電柱等の障害物がある時でも育苗箱搬送具４を取り外す必要も無く、移動時の作業性が向上する。【００２０】　なお、基台１１の上部にアオリ２を補強する補強材１７を着脱自在に設けているので、アオリ２の弱いトラックにも取り付けることが出来る。【００２１】　以上、本考案の育苗箱搬送具の取付具について添付図面を参照して説明してきたが、本考案は前記実施例に限られるものではなく、本考案の思想の範囲内で種々の変形実施が可能である。例えば、前記実施例においては、基台１１、フック部１２、下部材１３、固定部１４はパイプや板により構成したが、これに限らず、鋳造成型品や板の折り曲げ構造でもよい。また、クッションゴム１５は弾性体でもよい。
【考案の効果】
【００２２】本考案の請求項１記載の育苗箱搬送具の取付具は、基台の上部にトラックの荷台のアオリに引っ掛けるフック部を設け、その裏面に育苗箱搬送具を取り付ける固定部を設けることにより、前記トラックの荷台のアオリに該育苗箱搬送具を取り付けられるので、トラックの荷台に育苗箱搬送具を取り付けることが出来る。
【００２３】　また、請求項２記載の育苗箱搬送具の取付具は、前記基台の下部にトラックの荷台のアオリの高さに合わせ取付け位置の調整できるクッションゴムが設けられているので、搬送具を安定して保持する事が出来る。
【００２４】　請求項３記載の育苗箱搬送具の取付具は、前記請求項１又は２において、前記基台の上部に育苗箱搬送具の先端をを持ち上げた時に、固定するクランプ部を有し、前記育苗箱搬送具を立てて収納できるので、移動時の作業性が向上する。
【００２５】　請求項４記載の育苗箱搬送具の取付具は、前記請求項１乃至３の何れか１項において、前記基台の上部にアオリを補強する補強財を着脱自在に設けているので、アオリの剛性が弱いトラックにも育苗箱搬送具を取り付けることができる。
【図面の簡単な説明】
【図１】本考案の一実施例による育苗箱搬送具の取付具を示す説明図である。
【図２】前記実施例の育苗箱搬送具の取付具の使用状態を示す説明図である。
【符号の説明】
１　トラック荷台
２　アオリ
２Ａ　反対側のアオリ
３　取付け具
４　育苗箱搬送具
４Ａ　搬送部
４Ｂ　支持部材
４Ｃ　クランプブラケット
５　育苗箱
６　載置棚
７　田植え機
１１　基台
１２　フック部
１３　下部材
１４　固定部
１４Ａ　固定フック
１５　クッションゴム
１６　クランプ部
１７　補強材
１８　締め込みナット
１９　ハンガー
２０　クランプピン
【図１】
0003099396.tif 000003
【図２】
0003099396.tif 000004